(57)【要約】【課題】重ね合せ部にマグネットボタンを採用した衣服であって、そのマグネットボタンが薄く、且つ、衣服を係止するために十分に強力であって、安価に製造することができるものを提案する。【解決手段】マグネットボタン１２を、ネオジウム磁石１２ａの磁着面以外の面を磁気シールド材１２ｂとしての酸化鉄で被覆して構成した。このマグネットボタン１２のＮ極側のボタンとＳ極側のボタンとを衣服１０の重ね合せ部１１・１１に対向配置した。マグネットボタン１２は、衣服に形成１０した袋部１７に内装し、露出しないようにした。【選択図】図２
2005028022.tif 000002
【特許請求の範囲】
【請求項１】
磁着面以外の面を酸化鉄で被覆した希土類磁石より成ることを特徴とするマグネットボタン。
【請求項２】
請求項１に記載のマグネットボタンを、衣服の重ね合わせ部分に取り付ける磁気吸着部材として用いたことを特徴とするマグネットボタン付き衣服。
【請求項３】
衣服の重ね合せ部を袋状に縫い合わせ、袋の内部にマグネットボタンを配設した、請求項２に記載のマグネットボタン付き衣服。
【発明の詳細な説明】
【技術分野】
【０００１】
本発明は、着脱が簡易な衣服の構造に関し、詳しくは、衣服の重ね合せ部分の磁気吸着部材に関する。
【背景技術】
【０００２】
医療用衣服や老人用衣服、介護用衣服等は、指先の不自由な患者や老人が簡単に着脱することができるように、また、介護人が容易に着替えさせることができるように、重ね合せ部分に取り付ける磁気吸着部材の構造に種々の工夫が為されている。
例えば、指先の動きが不自由である人がボタンホールにボタンを挿通する作業が困難であることや、介護人は手早く多くの人を着替えさせる必要があることを考慮して、磁気吸着部材として大径のボタンを使用したり、磁気吸着位置が多少ずれても接合機能を保持し得る面ファスナを使用したりする等の工夫が為されている。
【０００３】
しかし、大径のボタンを使用することによってボタンの掛け外し動作そのものは幾分容易になるものの、ボタンが大きくなることによって、特に、横臥した状態で生活をすることが多い人にとっては、ボタンが当たったり擦れたりするときの違和感が強く、着用感が損なわれることがある。また、面ファスナを採用した場合は、衣服を洗濯したときに、面ファスナの突起に埃や糸くずが付着し易いという問題点がある。
【０００４】
そこで、衣服の重ね合わせ部に用いる磁気吸着部材としてとして、磁力を利用したマグネットボタンを採用したものが提案されている。例えば、特許文献１や特許文献２に記載の技術である。ここでは、軽量のためにプラスチック磁石を用いたり、磁気吸着位置を合わせるとともに磁気吸着が外れ難いものとするために磁着面に凹凸形状を設けたりする工夫が為されている。
【０００５】
【特許文献１】実開平２−５０２０４号公報
【特許文献２】特開平８−１３２１１号公報
【発明の開示】
【発明が解決しようとする課題】
【０００６】
衣服の重ね合せ部に用いる磁気吸着部材としてマグネットを採用した場合において、課題となるのは、磁場の範囲である。衣服に取り付けたマグネットボタンの磁力が無差別に作用すれば、鉄を含有するものに衣服が引きつけられたり、衣服に備えられたマグネットボタン同士が磁着してしまったり、必要以上に磁力が身体に作用してしまうおそれがある。そのため、例えば、磁性体を筒状の非磁性体内に配置することによって磁気シールドを施し、磁力の作用する範囲を限定した磁石が採用されている。
しかし、このように磁気シールドを施した磁石は、磁性体を非磁性体で覆うために、薄く小さくすることが難しく、大きなものとなりがちであり、大径のボタンと同様に、着用感が損なわれたり、洗濯の際に、洗濯機が大きな音を立てる原因となったりする。また、磁石を小さくしたとしても、マグネットボタンの磁力が弱まって、ボタンがすぐに外れてしまうことになる。
上述の課題に鑑み、本発明では、重ね合せ部にマグネットボタンを採用した衣服であって、そのマグネットボタンが薄く、且つ、衣服を係止するために十分に強力であって、安価に製造することができるものを提案する。
【課題を解決するための手段】
【０００７】
本発明の解決しようとする課題は以上の如くであり、次にこの課題を解決するための手段を説明する。
【０００８】
即ち、請求項１においては、磁着面以外の面を酸化鉄で被覆した希土類磁石より成るマグネットボタンである。
【０００９】
請求項２においては、請求項１に記載のマグネットボタンを、衣服の重ね合わせ部分に取り付ける磁気吸着部材として用いたマグネットボタン付き衣服である。
【００１０】
請求項３においては、衣服の重ね合せ部を袋状に縫い合わせ、袋の内部にマグネットボタンを配設したものである。
【発明の効果】
【００１１】
本発明の効果として、以下に示すような効果を奏する。
【００１２】
請求項１においては、酸化鉄が磁気シールドとしての機能を果たし、磁着面以外からの磁力線の発生を抑制することができる。よって、磁着面以外の部分に金属が付着することがなく、衣服を汚すことがない。
【００１３】
請求項２においては、磁着面以外に磁力が作用せず、薄く小さいマグネットボタンを取り付けた衣服とすることができ、着用感を向上させることができる。また、取り付け、取り外しが容易にでき、障害者等でも容易に衣服を着て重ね合わせ部をとめることができる。
【００１４】
請求項３においては、マグネットボタンが露出しないので、ボタンが取れることがなく、ボタンが身体に当たっても柔らかな肌当たりの衣服とすることができる。
【発明を実施するための最良の形態】
【００１５】
次に、発明の実施の形態を説明する。
図１は本発明の実施例に係る衣服の全体的な構成を示した図、図２は衣服の重ね合せ部の構造を示す断面図、図３はマグネットボタンの別形態を示す断面図、図４はマグネットボタンの別形態を示す断面図である。図５はマグネットボタンの取り付け状態を示す図、図６はマグネットボタンの取り付け状態の別形態を示す図である。
【００１６】
まず、本実施例に係る衣服１０の構成より説明する。
図１に示す如く、衣服１０は、前身ごろ１４ａ・１４ｂの重ね合わせ部１１・１１に磁気吸着部材としてのマグネットボタン１２・１２・・・が対向配置されている。
このマグネットボタン１２・１２・・・によって、ボタンホールにボタンを挿入する動作をすることなく、衣服１０の前身ごろ１４ａ・１４ｂ同士を磁気吸着させることができる。よって、手指の不自由な人であっても容易に衣服の着脱を行うことができ、また、介護人は手早く被介護人の衣服を着せ替えることができる。
【００１７】
前記マグネットボタン１２は、略同形状のＳ極磁石ボタンと、Ｎ極磁石ボタンとの組み合わせから成る一組のボタンであり、これらのボタンが磁力により互いに引き寄せ合って磁着面同士が磁着する。
但し、マグネットボタン１２を、強磁性体から成る磁石ボタンと、鉄を含む素材から成る鉄ボタンとの組み合わせから成る一組のボタンとすることもできる。この場合、マグネットボタン１２に係る費用を、Ｓ極ボタンとＮ極ボタンとから成るマグネットボタン１２を採用するときと比較して安くすることができる。
【００１８】
前記マグネットボタン１２を構成する磁石１２ａとして、希土類磁石を使用している。本実施例では、希土類磁石としてネオジウム磁石を採用している。希土類磁石はフェライト磁石と比較して強力な磁力を有することを特徴としており、これにより、マグネットボタン１２を、フェライト磁石を採用するときと比較して、薄く小さくすることができる。
【００１９】
そして、マグネットボタン１２を構成するＳ極磁石ボタンとＮ極磁石ボタンの磁着面以外の面、又は、磁石ボタンと鉄ボタンの磁着面以外の面は、磁気シールド材１２ｂで被覆されている。
前記磁気シールド材１２ｂは主に酸化鉄から成り、マグネットボタン１２の磁石１２ａは酸化鉄の層に覆われていることとなる。磁石１２ａの磁着面以外の面を磁気シールド材１２ｂで被覆するための磁気シールド加工として、鍍金加工により磁石１２ａの表面に酸化鉄から成る被膜を形成したり、酸化鉄から成るシートやプレート等を磁石１２ａに接着したりすることができる。
【００２０】
例えば、図２に示す如く、本実施例のマグネットボタン１２では、磁石１２ａの磁着面以外の面が、磁気シールド材１２ｂの鍍金加工により被覆されている。また、磁気シールド材１２ｂより成る、磁石１２ａを覆う形状のカバーを該磁石１２ａに被せることもできる。
なお、図３に示す如く、構造を簡易とするために、磁着面以外の面として磁着面と反対側の面のみを磁気シールド材１２ｂで被覆するように、磁気シールド加工を施すこともできる。
さらに、図４に示す如く、磁気シールド材１２ｂより成るハット形状のケースを、磁石１２ａに被せ、マグネットボタン１２としての形状を薄く丸い平板状に整えるために合成樹脂製のカラー１２ｃを磁気シールド材１２ｂの外周に巻回した状態に取り付けることもできる。
【００２１】
上述の如く、マグネットボタン１２として、磁着面以外の面を磁気シールド材１２ｂで被覆した磁石１２ａを使用することで、該磁気シールド材１２ｂによって、磁石１２ａの周りの特定の方向に形成される磁場が強くなり、磁石１２ａそのものを使用するよりも、強い磁力を得ることができる。また、磁気シールド材１２ｂは、磁石１２ａと比較しても十分に薄いものであり、従来のように筒状の非磁性体内に強磁性体を配置するときと比較して、マグネットボタン１２を薄く小さく構成することができる。
よって、よりマグネットボタン１２を小さくすることができ、薄く小さくても強力な磁石とすることができる。
【００２２】
前記マグネットボタン１２・・・は、布に覆われた状態に配設されている。
図１図２及び図５に示す如く、前身ごろ１４ａに形成された重ね合わせ部１１は、袋状に縫い合わされて、この袋部１７内にマグネットボタン１２・・・が挿入されている。本実施例においては、前身ごろ１４ａ・１４ｂに別布１３・１３を縫い合わせて袋状にしているが、身ごろそのものを折り返して袋状に縫い合わせることもできる。そして、重ね合わせ部１１では、マグネットボタン１２の周囲を糸１５で縫い合わせることによって、マグネットボタン１２の位置を固定している。なお、図６に示す如く、マグネットボタン１２の周囲を取り囲むように、糸１５でステッチすることにより、衣服１０の意匠の一部となり、また、衣服１０に対するマグネットボタン１２の位置を固定することができる。
また、マグネットボタン１２の外径と略同じ大きさの孔を縫い合わせるところに設けることで、通常の使用状態ではマグネットボタン１２が飛び出すことはないが、少し力を加えることで取り出すことができ、洗濯時等においてマグネットボタン１２を外しておくことで、布の傷みを防止することができる。
【００２３】
左右の前身ごろ１４ａ・１４ｂそれぞれに形成された重ね合わせ部１１・１１を、重ね合わさせたときに、それぞれの重ね合わせ部１１・１１に備えられたマグネットボタン１２・１２・・・が磁着するように、Ｎ極ボタンとＳ極ボタンとが向き合うように配置される。
このように配置されるマグネットボタン１２においては、左右の前身ごろ１４ａ・１４ｂの接合面において、Ｎ極ボタンとＳ極ボタンとが磁着し、身体側と身体と離れる側には磁力が発生しないようにしている。従って、鉄（ニッケル等）を含有するものに対して無差別に衣服１０が磁着することがなく、また、マグネットボタン１２から発生する磁力が衣服１０を身につけている人に及ぶ影響を抑制することができる。また、一方のボタンを磁気吸着させる他方のボタンに近づけるだけで両者が引き合って引っつき、容易にボタンを止めることができる。
【００２４】
そして、マグネットボタン１２を袋部１７内に挿入することで、マグネットボタン１２が露出しないため、洗濯時に洗濯槽内で衣服１０が回転する際に音を立てることのないようにすることができる。そして、マグネットボタン１２・１２を磁気吸着させたときに発生する音を抑制することができる。
また、マグネットボタン１２が露出しないために、引っかかりがなく、マグネットボタン１２が衣服１０より取れてしまうおそれがない。特に、横臥した状態で過ごすことの多い患者や被介護人等の着衣において本発明に係る衣服を採用すれば、マグネットボタン１２が身体に当接して着用感を損ねることがなく、また、擦れ等によってマグネットボタン１２が外れてしまうことを防止することができる。
【図面の簡単な説明】
【００２５】
【図１】本発明の実施例に係る衣服の全体的な構成を示した図。
【図２】衣服の重ね合せ部の構造を示す断面図。
【図３】マグネットボタンの別形態を示す断面図。
【図４】マグネットボタンの別形態を示す断面図。
【図５】マグネットボタンの取り付け状態を示す図。
【図６】マグネットボタンの取り付け状態の別形態を示す図。
【符号の説明】
【００２６】
１０    衣服
１１    重ね合わせ部
１２    マグネットボタン
１２ａ    磁石
１２ｂ    磁気シールド材
１３    別布
１４ａ・１４ｂ    身ごろ
１７    袋部
【図１】
2005028022.tif 000003
【図２】
2005028022.tif 000004
【図３】
2005028022.tif 000005
【図４】
2005028022.tif 000006
【図５】
2005028022.tif 000007
【図６】
2005028022.tif 000008